(57)【特許請求の範囲】
【請求項１】
底面板の対向する２辺の一方に後側面板と後部蓋板と両端に突出片が形成されるとともに把手を形成するための切目が設けられた把手板が折罫を介して連接され、対向する２辺の他方に前側面板と前部蓋板と両端に突出片が形成されるとともに把手を形成するための切目が設けられた把手板が折罫を介して連接され、底面板の他の対向する２辺にそれぞれ左右側面板と折曲側面板とが折罫を介して連接され、折曲側面板には左右側面板に隣接する中央部に半円形状の切目により舌片が形成され舌片には切込孔が穿設され、折曲側面板の後側面板側の角部が斜め折罫により折返板とされるとともに折返板の左右側面板と反対側の端縁に突起が形成され、後側面板と左右側面板の側端間に斜め切罫を備えた連結板がそれぞれ設けられた形状のブランク板からなり、後側面板を底面板上に折り重ねるとともに連結板を左右側面板上にそれぞれ折り重ねて、接着部にて連結板を左右側面板面に接着し、次いで、折曲側面板を左右側面板上にそれぞれ折り重ねて接着部にて接着した構成からなることを特徴とする提手付き紙箱。
【発明の詳細な説明】
【０００１】
【発明の属する技術分野】
本発明は、簡単に組み立てて内部にケーキ等を収納して持ち運べるようにした提手付き紙箱に関する。
【０００２】
【従来の技術】
従来、ケーキ等の菓子類を収納して持ち運ぶのに使用する提手付き紙箱としては、例えば、実公平２−２６８１０号公報に記載されている構成のキャリーデコケースが知られている。このキャリーデコケースは、方形の底板の前後に各々前側板、後側板を折曲自在に設け、さらに各々に連ねて蓋板、及び両側適宜箇所に突片を有しかつ把手口を形成する切込を穿った把手板を、順次折曲自在に連接し、底板の両側には各々左側板、右側板を折曲自在に設け、左側板、右側板の上辺には切込によって形成された舌片を有する折曲片を折曲自在に設け、この舌片には突片に適合する挿入孔を穿ち、後側板の両側にはそれぞれ内側板を折曲自在に設け、さらに各内側板には、各々左側板、右側板の側辺と折曲自在な可動片を折曲自在に設けるとともに、各内側板の上辺には突起、切欠等の係止縁を有する当接辺を折曲自在に設け、各内側板を後側板に貼着し、さらに当接片を折り曲げてその裏面一部を内側板の上に重ねて貼着して組立形成自在とし、後側板及び左側板、右側板が起立した際、当接片が係止縁によって係止されて可動片が当接片と内側板の間に挟持されるようにした構成である。
【０００３】
しかしながら、上記の構成のキャリーデコケースでは、両側の内側板を後側板に貼着する際に、両側の内側板にそれぞれ左側板及び右側板の外側角部から中央部に向く斜め切目が形成されているために、両側の内側板を後側板面に折り重ねる工程の作業性が悪いとともに、各内側板を後側板に貼着した状態から、さらに当接片を折り曲げてその裏面一部を内側板の上に重ねて貼着する際に、後部蓋板上に重なった状態の当接片のみを後側板面に折り重ねる工程が煩雑であり、貼着工程の作業性がきわめて悪いという欠点がある。
【０００４】
【発明が解決しようとする課題】
本発明の目的は、折り畳めるので輸送・保管に際して場所をとらず、使用時には左右側面板を直立した状態に簡単に組み立てることのできる、製造工程が簡単な提手付き紙箱を提供することである。
【０００５】
【課題を解決するための手段】
底面板の対向する２辺の一方に後側面板と後部蓋板と両端に突出片が形成されるとともに把手を形成するための切目が設けられた把手板が折罫を介して連接され、対向する２辺の他方に前側面板と前部蓋板と両端に突出片が形成されるとともに把手を形成するための切目が設けられた把手板が折罫を介して連接され、底面板の他の対向する２辺にそれぞれ左右側面板と折曲側面板とが折罫を介して連接され、折曲側面板には左右側面板に隣接する中央部に半円形状の切目により舌片が形成され舌片には切込孔が穿設され、折曲側面板の後側面板側の角部が斜め折罫により折返板とされるとともに折返板の左右側面板と反対側の端縁に突起が形成され、後側面板と左右側面板の側端間に斜め切罫を備えた連結板がそれぞれ設けられた形状のブランク板からなり、後側面板を底面板上に折り重ねるとともに連結板を左右側面板上にそれぞれ折り重ねて、接着部にて連結板を左右側面板面に接着し、次いで、折曲側面板を左右側面板上にそれぞれ折り重ねて接着部にて接着した構成とすることにより、折り畳んだ状態で輸送・保管できるので場所をとらず、使用時には、折返板を外側に折り曲げて底面板上に折り重ねられている後側面板を起こすと同時に、連結板を斜め切罫にて内側に折り曲げながら底面板上に折り重ねられている左右側面板を起こして直立させ、折返板の突起を底面板と左右側面板間の折罫部に形成された切込孔に嵌合させることにより、後側面板および左右側面板を直立させた状態に簡単に組み立てることのできるので、この状態でケーキ等の内容物を底面板上に収納した後に、前部蓋板と後部蓋板を折り曲げて蓋部を形成し、把手板の両端の突起を左右側面板の上端の舌片に形成された切込孔に嵌め込むことにより簡単に組み立てができる。また、ブランク板の形状が単純であるので製造が容易となる。
【０００６】
【発明の実施の形態】
以下、図面を引用して本発明の実施の形態を説明する。
図１は本発明の実施形態のブランク板を示す平面図、図２は実施形態の後側面板と連結板を折り曲げて接着した状態の平面図、図３は図２の状態から折曲側面板を折り曲げて接着した状態の平面図、図４は実施形態の後側面板と左右側面板を起こした状態の斜視図、図５は実施形態の組み立て完了した状態の斜視図であり、１は底面板、２は後側面板、３は後部蓋板、4, 7は把手板、５は前側面板、６は前部蓋板、8, 9は突出片、11, 15は左右側面板、12, 16は折曲側面板、13, 17は折返板、21, 22は連結板、23，25突起、24, 26, 34, 36は切込孔、31, 32, 33, 35は切目、41, 42, 43, 44は接着部、a, b, c, d, e, f, g, h，i, jは折罫、k, lは斜め折罫、m, nは斜め切罫をそれぞれ表す。
【０００７】
本発明の実施形態は、図１に示すブランク板を使用して作製され、左右側面板および後側面板を起こして直立させた形状が図４に示すとおりであり、組み立て完了した状態が図５に示すとおりの提手付き紙箱であって、左右側面板および後側面板を起こして直立させた図４に示す状態でケーキ等の内容物を底面板上に収納するのがきわめて容易であり使用しやすい提手付き紙箱である。
【０００８】
実施形態の提手付き紙箱を作製するためのブランク板は、図１に示すとおりであり、底面板１の対向する２辺の一方に後側面板２と後部蓋板３と把手板４が折罫ａと折罫ｂと折罫ｃを介してそれぞれ連接されるとともに、底面板１の対向する２辺の他方に前側面板５と前部蓋板６と把手板７が折罫ｄと折罫ｅと折罫ｆを介してそれぞれ連接され、把手板４には後部蓋板３と把手板４間の折罫ｃに隣接する切目31によって把手が形成されるとともに、把手板４の両端にはそれぞれ突出片８が設けられ、把手板７には前部蓋板６と把手板７間の折罫ｆに隣接する切目32によって把手が形成されている。
【０００９】
底面板１の他の対向する２辺の一方に側面板11と折曲側面板12が折罫ｇと折罫ｈを介して連接され、折曲側面板12の後側面板２側の角部が斜め折罫ｋにより折返板13とされ折返板13の側面板11と反対側の端縁に突起23が設けられるとともに折曲側面板12の側面板11側の中央部に半円形状の切目33により舌片14が形成され舌片14には把手板4,7 の突出片8,9 を嵌め込む切込孔34が設けられており、他の対向する２辺の他方に側面板15と折曲側面板16が折罫ｉと折罫ｊを介して連接され、折曲側面板15の後側面板２側の角部が斜め折罫ｌにより折返板17とされ折返板17の側面板15と反対側の端縁に突起25が設けられるとともに折曲側面板16の側面板15側の中央部に半円形状の切目35により舌片18が形成され舌片18には把手板4,7 の突出片8,9 を嵌め込む切込孔36が設けられ、後側面板２と側面板11の側端間は斜め切罫ｍを備えた連結板21により、後側面板２と側面板15の側端間は斜め切罫ｍを備えた連結板21によりそれぞれ連結されている形状からなる。
【００１０】
図１に示すブランク板を、折罫ａにて折り曲げて、後側面板２を底面板１上に折り重ねるとともに後側面板２の両側端に連接された連結板21と連結板22をそれぞれ側面板11と側面板15上に折り重ねて、接着部41にて連結板21を側面板11に接着するとともに接着部42にて連結板22を側面板15に接着して図２に示す状態とする。次いで、折罫ｈにて折曲側面板12を側面板11上に折り重ねて接着部43にて接着するとともに、折罫ｊにて折曲側面板16を側面板15上に折り重ねて接着部44にて接着することにより、図３に示す、折り畳まれた状態の実施形態の提手付き紙箱ができあがる。本発明の提手付き紙箱は、図３に示す、折り畳まれた嵩の小さい状態で取り扱われるので、保管・輸送に場所をとらず取扱いがきわめて容易となる。
【００１１】
図３に示す折り畳まれた状態から、折返板13および折返板17をそれぞれ斜め折罫ｋおよび斜め折罫ｌにて外側に折り曲げて後側面板２を起こすと同時に、連結板21および連結板22を斜め切罫ｍおよび斜め切罫ｎにて内側に折り曲げながら、側面板11および側面板15を起こして直立させて、折返板13および折返板17を連結板21および連結板22の内側にくるように外側に折り曲げた状態から元に戻して、底面板１と側面板11間の折罫ｇの位置に形成された切込孔24に折返板13の突起23を係合させるとともに、底面板１と側面板15間の折罫ｉの位置に形成された切込孔26に折返板17の突起25を係合させることにより、側面板11および側面板15を直立させた状態で固定して、図４に示す起こした状態とする。
【００１２】
図４に示す側面板11および側面板15を起こして直立させた状態で、前側面板６の側からケーキ等の内容物を底面板１上に収納し、側面板11と側面板15の側端に連接された折曲片を内側に折り曲げてから前側面板６を起こして直立させ、前部蓋板６を内側に折り曲げて前部に蓋をして把手板７を外側に折り曲げて直立させるとともに、後部蓋板３を内側に折り曲げて後部に蓋をして把手板４を外側に折り曲げて直立させ、把手板３の突出部８と把手板６の突出部９を重ね合わせた状態で、一方側の突出部8,9 を側面板11の上端に形成された舌片14の切込孔34に嵌合させるとともに他方側の突出部8,9 を側面板15の上端に形成された舌片18の切込孔36に嵌合させることにより、図５に示す、包装が完了した状態となる。図４に示す起こした状態で、側面板11および側面板15を直立させた状態を維持できるので、ケーキ等の内容物を底面板１上に収納する際に、側面板11および側面板15が内側に倒れてきてケーキ等を傷つけることなく容易に包装できる。
【００１３】
実施形態の提手付き紙箱を作製するための材料としては白ボール、マニラボール、アイボリー紙、カード紙等の板紙が使用される。板紙の厚さとしては坪量が１７０〜３７０ｇ／ｍ2 のものが適当である。板紙の外面側に印刷絵柄が形成される。板紙の内面および外面にプラスチック層を積層した構成としてもよい。
【００１４】
【発明の効果】
実施形態の提手付き紙箱の構成とすることにより、折り畳んだ状態で輸送・保管できるので場所をとらず、使用時には、折返板を外側に折り曲げて底面板上に折り重ねられている後側面板を起こすと同時に、連結板を斜め切罫にて内側に折り曲げながら底面板上に折り重ねられている左右側面板を起こして直立させ、折返板の突起を底面板と左右側面板間の折罫部に形成された切込孔に嵌合させることにより、後側面板および左右側面板を直立させた状態に組み立てることのできる。この状態で左右側面板が安定して直立状態が保たれており内側に倒れてくることがないので、内部に収納するケーキ等に傷付けることない。ケーキ等の内容物を底面板上に収納した後に、前部蓋板と後部蓋板を折り曲げて蓋部を形成し、把手板の両端の突起を左右側面板の上端の舌片に形成された切込孔に嵌め込むことにより簡単に組み立てを完了させることができる。また、ブランク板が簡単な形状であるので提手付き紙箱の製造が容易となる。
【図面の簡単な説明】
【図１】本発明の実施形態の展開した平面図。
【図２】実施形態の後側面板と連結板を折り曲げて接着した状態の平面図。
【図３】図２の状態から折曲側面板を折り曲げて接着した状態の平面図。
【図４】実施形態の後側面板と左右側面板を起こした状態の斜視図。
【図５】実施形態の組み立て完了した状態の斜視図。
【符号の説明】
１  底面板                          23，25  突起
２  後側面板                        24, 26, 34, 36  切込孔
３  後部蓋板                        31, 32, 33, 35  切目
４，７  把手板                      41, 42, 43, 44  接着部
５  前側面板                        ａ, ｂ，ｃ，ｄ，ｅ  折罫
６  前部蓋板                        ｆ，ｇ，ｈ，ｉ，ｊ  折罫
８，９  突出片                      ｋ，ｌ  斜め折罫
11，15  左右側面板                  ｍ，ｎ  斜め切罫
12，16  折曲側面板
13, 17  折返板
21, 22  連結板
【図１】
0004402261.tif 000002
【図２】
0004402261.tif 000003
【図３】
0004402261.tif 000004
【図４】
0004402261.tif 000005
【図５】
0004402261.tif 000006